(57)【特許請求の範囲】
【請求項１】
下地材上に固定されるとともに弾性力を有する当接部と、この当接部の両端部に延設された係合部とを具備し、下地材上に設けられた当接部の弾性力に抗して、この当接部上に笠木の内天面を当接させるとともに、この弾性力によって笠木の内側面の下端部を係合部に係合させるようになされた笠木の取付金具であって、
下地材上に固定するための固定部と弾性力を有するバネ部とが、当接部の両側に、それぞれ設けられるとともに、当接部および係合部の中央部には、平行する二本の水密材が設けられて当接部の固定部およびバネ部との間を遮断して係合部へ到るようになされた排水路が形成されたことを特徴とする笠木取付金具。
【請求項２】
係合部の中央部に凹部が設けられ、排水路がこの凹部間をつなぐように形成された請求項１記載の笠木取付金具。
【請求項３】
下地材上に固定されるとともに弾性力を有する当接部と、この当接部の両端部に延設された係合部とを具備し、下地材上に設けられた当接部の弾性力に抗して、この当接部上に笠木の内天面を当接させるとともに、この弾性力によって笠木の内側面の下端部を係合部に係合させるようになされた笠木の取付構造であって、
笠木取付金具は、下地材上に固定するための固定部と弾性力を有するバネ部とが、当接部の両側に、それぞれ設けられるとともに、当接部および係合部の中央部には、平行する二本の水密材が設けられて当接部の固定部およびバネ部との間を遮断して係合部へ到るようになされた排水路が形成されてなり、
下地材上に笠木取付金具が固定されるとともに、この笠木取付金具の排水路上で端部が突き合わされるようにそれぞれ笠木が接続され、これら笠木の端部間が目地材で閉塞されてなることを特徴とする笠木取付構造。
【発明の詳細な説明】
【０００１】
【発明の属する技術分野】
本発明は、笠木の取付金具と、この取付金具による笠木の取付構造に関するものである。
【０００２】
【従来の技術】
一般に、建物の屋上やバルコニーのパラペットの上縁や、階段などに設けられる手摺りの上縁に、笠木を設ける場合、下地材上に笠木取付金具を介して笠木を取り付けることが行われている。
【０００３】
従来より、図９に示すように、笠木ａの端部同士のつなぎ目の取付構造として、下地材ｂ上に、笠木取付金具ｃをビスｄで固定し、この笠木取付金具ｃ介して笠木ａを取り付けるとともに、笠木ａの端部間の内側にジョイント部材ｅを接着し、この端部間を覆い隠すように、笠木ａの端部間の外側にカバー部材ｆを設けるようになされた笠木ａの取付構造が知られている（例えば、実開平２−１４３４３１号公報参照）。
【０００４】
また、図１０に示すように、この笠木取付金具ｃとしては、下地材ｂ上にビスｄで固定される当接部ｇと、この当接部ｇの両端部に延設された係合部ｈとを具備し、当接部ｇに設けたバネ部ｉの弾性力に抗して、この下地材ｂ上に笠木ａの内天面ｊを当接させるとともに、この弾性力によって笠木ａの内側面ｋの下端部ｍに係合部ｈを係合するようになされたものが知られている（例えば、特開平８−２６０６４３号公報参照）。
【０００５】
【発明が解決しようとする課題】
しかし、上記従来の笠木ａの取付構造の場合、笠木取付金具ｃとは別に、笠木ａの端部間に、この端部間を閉塞するジョイント部材ｅを設け、この端部間を覆い隠すようにカバー部材ｆを設けているので、部品点数が多くなり、施工作業が煩わしいといった不都合を生じることとなる。
【０００６】
そのため、ジョイント部材ｅおよびカバー部材ｆを外し、笠木ａの端部間を通常の目地材で仕上げることが考えられるが、この場合、目地材が破れたりして笠木ａの内側に雨水などが浸入すると、笠木取付金具ｃに雨水がまわり、この笠木取付金具ｃを下地材ｂに固定しているビスｄが錆び、経時的に施工強度が低下してしまうこととなる。
【０００７】
本発明は、係る実情に鑑みてなされたものであって、笠木の端部間の継ぎ目の部分に有効な笠木取付金具とその施工構造を提供することを目的としている。
【０００８】
【課題を解決するための手段】
上記課題を解決するための本発明の笠木取付金具は、下地材上に固定されるとともに弾性力を有する当接部と、この当接部の両端部に延設された係合部とを具備し、下地材上に設けられた当接部の弾性力に抗して、この当接部上に笠木の内天面を当接させるとともに、この弾性力によって笠木の内側面の下端部を係合部に係合させるようになされた笠木の取付金具であって、下地材上に固定するための固定部と弾性力を有するバネ部とが、当接部の両側に、それぞれ設けられるとともに、当接部および係合部の中央部には、平行する二本の水密材が設けられて当接部の固定部およびバネ部との間を遮断して係合部へ到るようになされた排水路が形成されたものである。
【０００９】
また、係合部の中央部に凹部が設けられ、排水路がこの凹部間をつなぐように形成されたものである。
【００１０】
また、上記課題を解決するための本発明の笠木取付構造は、下地材上に固定されるとともに弾性力を有する当接部と、この当接部の両端部に延設された係合部とを具備し、下地材上に設けられた当接部の弾性力に抗して、この当接部上に笠木の内天面を当接させるとともに、この弾性力によって笠木の内側面の下端部を係合部に係合させるようになされた笠木の取付構造であって、笠木取付金具は、下地材上に固定するための固定部と弾性力を有するバネ部とが、当接部の両側に、それぞれ設けられるとともに、当接部および係合部の中央部には、平行する二本の水密材が設けられて当接部の固定部およびバネ部との間を遮断して係合部へ到るようになされた排水路が形成されてなり、下地材上に笠木取付金具が固定されるとともに、この笠木取付金具の排水路上で端部が突き合わされるようにそれぞれ笠木が接続され、これら笠木の端部間が目地材で閉塞されてなるものである。
【００１１】
【発明の実施の形態】
以下、本発明の実施の形態を図面を参照して説明する。
【００１２】
図１ないし図３は笠木取付金具１の全体構成の概略を示し、図４ないし図６は同笠木取付金具１の施工状態を示している。
【００１３】
すなわち、この笠木取付金具１は、当接部１１の両端に係合部１２が設けられ、当接部１１の中央に係合部１２へ到る排水路Ａが設けられている。
【００１４】
笠木取付金具１は、長板状の鋼板の両側を折り曲げて断面略コ字状に形成され、中央が当接部１１、両端が係合部１２となされている。
【００１５】
当接部１１は、両側の長手方向に沿ってそれぞれ溝部１４が設けられ、剛性の向上が図られている。この溝部１４内には、笠木取付金具１を下地材２にビス２１で固定するためのビス孔１５と、笠木取付金具１の取付位置を確認するための刻印１６とが設けられている。ビス孔１５は、笠木取付金具１の位置調整が可能なように、いずれも長孔となされている。
【００１６】
また、当接部１１には、上方に膨出して弾性力を発揮するようになされたバネ部１７が設けられている。このバネ部１７は、溝部１４に隣接してそれぞれ三箇所ずつに設けられている。このうち、バネ部１７の一部には、バーリング加工によって上方に円筒状に突出した突出部１８が設けられている。この突出部１８は、当接部１１上に笠木３を被せた際に、バネ部１７に働く弾性力によって笠木３の内天面３１に食い込み笠木取付金具１と笠木３とを一体化するように働く。
【００１７】
係合部１２は、当接部１１に対して斜め下方に屈曲されており、その両側縁が若干内側へさらに屈曲されて係合部１２の剛性が高められている。
【００１８】
また、係合部１２の中央部には凹部１９が設けられ、この凹部１９から下方に舌部１３が延設されている。
【００１９】
排水路Ａは、凹部１９の幅に等しい間隔で、この対向する係合部１２の凹部１９間をつなぐように平行して設けられた水密材１０と、凹部１９とによって構成されている。
【００２０】
このようにして構成される笠木取付金具１は、図４ないし図６に示すように、下地材２上に、躯体２２および壁体２３を被覆する捨水切２４を設け、この捨水切２４上にビス２１で固定される。この笠木取付金具１を固定した下地材２の表面には、笠木３を被覆する。笠木３は、笠木取付金具１の排水路Ａ上の位置で端部が突き合わされるようにして被覆する。これにより、笠木取付金具１の当接部１１のバネ部１７が、バネ部１７上のそれぞれの笠木３の内天面３１に当接され、このバネ部１７によって働く弾性力で、突出部１８が笠木３の内天面３１に食い込んで笠木取付金具１とそれぞれの笠木３とが一体化することとなる。また、係合部１２は、それぞれの笠木３の内側面３２の下端段部３３に係合することとなり、下地材２にそれぞれの笠木３が取り付けられる。それぞれの笠木３の端部間は、シール材３０によって止水する。
【００２１】
この施工構造によると、シール材３０が破れて雨水４などが浸入するようなことがあっても、雨水４は、当接部１１から係合部１２へと、排水路Ａを流れ、凹部１９から排水されることとなるので、優れた防水性が得られる。
【００２２】
また、この下地材２から笠木３を離脱する場合は、笠木３の内側面３２にドライバー５などを差し込んで、このドライバー５を、内側面３２の下端段部３３の内側に位置する舌部１３に引っかけることで、係合部１２の係合を容易に解除することができる。
【００２３】
なお、本実施の形態では、排水路Ａは、係合部１２に設けた凹部１９間をつなぐように平行する二本の水密材１０を設けて構成されているが、排水路Ａとしては、特にこのような形状に限定されるものではなく、図７に示すように、当接部１１および係合部１２の全体に凹部１９を形成して排水路Ａとしたものであっても良い。また、図８に示すように、このような凹部１９が設けられず、平行する二本の水密材１０のみによって排水路Ａを形成したものであっても良い。
【００２４】
また、本実施の形態では、ビス孔１５にビス２１を挿通固定することによって笠木取付金具１を下地材２に固定するようになされているが、排水路Ａの両側で固定するようになされたものであれば、特にこのような固定構造の笠木取付金具１に限定されるものではなく、例えば、接着剤によって接着することによって固定するようになされたものであっても良い。
【００２５】
【発明の効果】
以上述べたように、本発明の笠木取付金具は、下地材上に固定するための固定部と弾性力を有するバネ部とを、当接部の両側に、それぞれ設けるとともに、当接部および係合部の中央部には、平行する二本の水密材が設けられて当接部の固定部およびバネ部との間を遮断して係合部へ到る排水路を形成しているので、排水路を挟んでそれぞれのバネ部上から笠木を接続することができる。このように、排水路を挟んでそれぞれのバネ部上から笠木を接続し、排水路上の位置で笠木同士の端部間を目地材で閉塞した笠木取付構造とした場合、目地材が破れて排水路に雨水が浸入しても、排水路を介して外部に排水することができる。したがって、笠木内に浸入した雨水が、笠木取付金具を取り付けている固定部の周縁にまで到るといったことを無くすことができるので、雨水の影響で笠木取付金具の固定強度が経時的に低下するといったことや、雨水が下地材内部の躯体に浸入するといったことを防止できる。
【図面の簡単な説明】
【図１】本発明に係る笠木取付金具の全体構成の概略を示す平面図である。
【図２】本発明に係る笠木取付金具の全体構成の概略を示す側面図である。
【図３】本発明に係る笠木取付金具の全体構成の概略を示す正面図である。
【図４】本発明に係る笠木取付構造を示す部分分解斜視図である。
【図５】本発明に係る笠木取付構造を示す部分断面図である。
【図６】本発明に係る笠木取付構造を示す部分側断面図である。
【図７】（ａ）および（ｂ）は本発明の他の実施の形態に係る笠木取付金具を示す側面図および正面図である。
【図８】（ａ）および（ｂ）は本発明のさらに他の実施の形態に係る笠木取付金具を示す側面図および正面図である。
【図９】従来の笠木取付構造を示す部分分解斜視図である。
【図１０】（ａ）および（ｂ）は従来の笠木取付金具を示す斜視図および側面図である。
【符号の説明】
１  笠木取付金具
１０  水密材
１１  当接部
１２  係合部
１５  ビス孔（固定部）
１７  バネ部
１９  凹部
２  下地材
３  笠木
３０  シール材
３１  内天面
３２  内側面
３３  下端部
Ａ  排水路
【図１】
0003638447.tif 000002
【図２】
0003638447.tif 000003
【図３】
0003638447.tif 000004
【図４】
0003638447.tif 000005
【図５】
0003638447.tif 000006
【図６】
0003638447.tif 000007
【図７】
0003638447.tif 000008
【図８】
0003638447.tif 000009
【図９】
0003638447.tif 000010
【図１０】
0003638447.tif 000011